(57)【特許請求の範囲】
【請求項１】
加熱ローラと、該加熱ローラの外部に設けられ該加熱ローラの周方向の一部領域を加熱する加熱源と、上記加熱ローラと共に被加熱体を挟持搬送するニップ部を形成する加圧部材と、上記加熱ローラの表面温度を検出する温度検出手段と、上記加熱ローラと加圧部材よりなる回転対を回転駆動する回転駆動手段と、上記温度検出手段の検出値に基づいて上記加熱源への電力供給を制御する給電制御手段と、上記加熱ローラの回転速度を制御する速度制御手段を有し、ウォームアップ中における上記加熱ローラの回転速度（以下、「ウォームアップ回転速度」という。）と、ウォームアップ後の上記被加熱体に対する加熱動作中における上記加熱ローラの回転速度（以下、「使用回転速度」という。）が異なるとともに、上記ウォームアップ回転速度が使用回転速度より遅く、かつ、上記ウォームアップ回転速度が複数の回転速度をもって徐々に速くなる加熱装置において、
上記ウォームアップ回転速度は低速回転の時間が高速回転の時間よりも長いことを特徴とする加熱装置。
【請求項２】
加熱ローラと、該加熱ローラの外部に設けられ該加熱ローラの周方向の一部領域を加熱する加熱源と、上記加熱ローラと共に被加熱体を挟持搬送するニップ部を形成する加圧部材と、上記加熱ローラの表面温度を検出する温度検出手段と、上記加熱ローラと加圧部材よりなる回転対を回転駆動する回転駆動手段と、上記温度検出手段の検出値に基づいて上記加熱源への電力供給を制御する給電制御手段と、上記加熱ローラの回転速度を制御する速度制御手段を有し、ウォームアップ中における上記加熱ローラの回転速度（以下、「ウォームアップ回転速度」という。）と、ウォームアップ後の上記被加熱体に対する加熱動作中における上記加熱ローラの回転速度（以下、「使用回転速度」という。）が異なるとともに、上記ウォームアップ回転速度が使用回転速度より遅い加熱装置において、
上記加熱源への通電開始からの時間と、ウォームアップ回転速度との関係を予め設定し、該設定されたテーブルに基づいて上記ウォームアップ回転速度を変化させることを特徴とする加熱装置。
【請求項３】
加熱ローラと、該加熱ローラの外部に設けられ該加熱ローラの周方向の一部領域を加熱する加熱源と、上記加熱ローラと共に被加熱体を挟持搬送するニップ部を形成する加圧部材と、上記加熱ローラの表面温度を検出する温度検出手段と、上記加熱ローラと加圧部材よりなる回転対を回転駆動する回転駆動手段と、上記温度検出手段の検出値に基づいて上記加熱源への電力供給を制御する給電制御手段と、上記加熱ローラの回転速度を制御する速度制御手段を有し、ウォームアップ中における上記加熱ローラの回転速度（以下、「ウォームアップ回転速度」という。）と、ウォームアップ後の上記被加熱体に対する加熱動作中における上記加熱ローラの回転速度（以下、「使用回転速度」という。）が異なるとともに、上記ウォームアップ回転速度が使用回転速度より遅い加熱装置において、
上記温度検出手段によって検出される温度と、ウォームアップ回転速度との関係を予め設定し、該設定されたテーブルに基づいて上記ウォームアップ回転速度を変化させることを特徴とする加熱装置。
【請求項４】
請求項１乃至３のうちの一つに記載の加熱装置において、
上記加熱ローラの回転を開始した後、上記加熱源への通電を開始することを特徴とする加熱装置。
【請求項５】
請求項１乃至３のうちの一つに記載の加熱装置において、
上記被加熱体への加熱動作終了後、上記加熱源への通電を停止した後、上記加熱ローラを少なくとも１回転させた後、回転を停止させることを特徴とする加熱装置。
【請求項６】
請求項１乃至３のうちの一つに記載の加熱装置において、
上記被加熱体への加熱動作終了後、上記加熱源への通電を停止した後、上記加熱ローラの表面温度がある設定温度以下になった後、回転を停止させることを特徴とする加熱装置。
【請求項７】
請求項１乃至３のうちの一つに記載の加熱装置において、
上記給電制御手段による上記加熱源への通電のオン／オフ間隔が、上記加熱ローラの外周上の任意の点が加熱領域を通過する時間より短いことを特徴とする加熱装置。
【請求項８】
請求項１乃至３のうちの一つに記載の加熱装置において、
上記加熱ローラが誘導電流により発熱する発熱層を有し、上記加熱源が電磁誘導方式のものであることを特徴とする加熱装置。
【請求項９】
請求項８記載の加熱装置において、
上記加熱ローラが、上記発熱層の内側に断熱層を有していることを特徴とする加熱装置。
【請求項１０】
請求項８記載の加熱装置において、
上記加熱ローラが、内側から外側に向かって少なくとも芯材、断熱層、発熱層の３層構造を有していることを特徴とする加熱装置。
【請求項１１】
請求項８記載の加熱装置において、
上記加熱ローラが、内側から外側に向かって少なくとも芯材、断熱層、発熱層、離型層の４層構造を有していることを特徴とする加熱装置。
【請求項１２】
請求項９乃至１１のうちの一つに記載の加熱装置において、
上記断熱層が発泡体で形成されていることを特徴とする加熱装置。
【請求項１３】
請求項１乃至３のうちの一つに記載の加熱装置において、
上記加熱ローラの熱容量が「ある値の電力を供給される加熱源に対し、加熱領域で吸収できる熱量が加熱領域外で放熱する熱量以上となる熱容量」以下、且つ、「被加熱体の加熱に必要な熱量をニップ部で被加熱体に与えることが可能な熱量を保持できる熱容量」以上であることを特徴とする加熱装置。
【請求項１４】
加熱装置により未定着画像を熱と圧力により記録材上に定着する定着装置において、
上記加熱装置が請求項１乃至１３のうちの一つに記載のものであることを特徴とする定着装置。
【請求項１５】
未定着画像を熱と圧力により記録材上に定着する定着装置を有する画像形成装置において、
上記定着装置として、請求項１乃至１３のうちの一つに記載の加熱装置を用いることを特徴とする画像形成装置。
【発明の詳細な説明】
【０００１】
【発明の属する技術分野】
本発明は、紙やフィルムなどを通して加熱処理する加熱装置、未定着画像を熱と圧力により記録材上に定着する定着装置、該定着装置を備えた複写機、プリンタ、ファクシミリ等の画像形成装置、定着方法に関する。
【０００２】
【従来の技術】
電子写真方式を用いた複写機、プリンタ、ファクシミリ等の画像形成装置は、通常、樹脂や着色料等からなるトナーを静電的に担持した記録材（用紙、シート、ＯＨＰシート、転写材等の概念を含む。以下、同じ。）を、互いに圧接・回転している定着ローラ（加熱ローラ）と加圧ローラ（加圧部材）の圧接部（ニップ部）で挟持搬送しながら熱と圧力を加えることなどにより、該トナー像を記録材上に溶融定着せしめる定着装置を有している。
このような定着装置に代表される加熱装置としては、従来から、熱ローラ方式、フィルム加熱方式等の接触加熱方式が一般に用いられている。
【０００３】
このような定着装置における加熱方式としては、定着ローラやフィルム等の回転体内部にハロゲンヒータや赤外線ヒータを保持する方式や、定着ローラの内面に全周に亘って発熱抵抗体を貼り付ける方式等のように、回転体の周方向を同時に略均一に加熱する方式と、フィルムやベルトの一部を発熱抵抗体に摺動させる方式等のように、回転体の周方向の一部領域を加熱する方式がある。
いずれの方式においても、回転体表面を定着可能な温度になるまでウォームアップを行った後、定着動作を行うようになっている。
【０００４】
一方、省電力でウォームアップ開始からグロスむらや定着不良などの画像欠陥を生じることなく定着できるようになるまでの時間を短くすることを目的として色々な工夫がなされている。
例えば特開平１０−２１３９８号公報においては、定着速度Ｖ１とウォームアップ速度Ｖ２（Ｖ１＞Ｖ２）を設定し、定着ローラが定着可能な温度になるまでウォームアップ速度Ｖ２で定着ローラを回転させること、定着可能な温度の判定を定着ローラ外周の最高温度と最低温度の差で行うこと、ウォームアップ中でも定着ローラ温度がトナーのガラス転移点以下では回転を停止すること、などが提案されている。
また、特開平３−１０２７５号公報においては、ウォームアップ後の加圧ローラの昇温が不十分であることに起因する定着能力低下を防止し、さらに加圧ローラ温度や転写紙温度等の状態量に応じて適切な制御を行うことを目的として、ウォームアップ中に定着ローラが回転する定着装置において、定着ローラ温度が所定値になったら回転を開始すること、この所定温度を雰囲気温度、電源オン後の累積時間、加圧ローラ温度で決めること、ウォームアップ中のローラ回転速度を雰囲気温度、加圧ローラ温度で決めること、さらに、これらをファジー理論に基づき制御すること、などが提案されている。
【０００５】
【発明が解決しようとする課題】
上述のように、定着ローラの表面温度を室温から定着可能な温度（定着温度）まで立ち上げるウォームアップを行うが、回転体の周方向を同時に略均一に加熱する方式では、回転体の周方向に温度ムラが無いので、回転体を停止した状態でウォームアップを行っても一部が局所的に高温になることはなく、安全性や耐熱性に問題は生じない。
しかしながら、回転体全体を加熱することになるため、ウォームアップ時間が長くなることを避けられない。
【０００６】
被加熱体に対してはニップ部のみで加熱・加圧するのであるから、定着ローラの全周のうちニップ部近傍が定着可能な温度であればよく、それ以外の部分が高温である必要はない。
そこで、ウォームアップ時間を短くするためには、回転体の周方向の一部領域（周方向の一部であって、回転体の軸方向全体に亘る領域）を加熱する方式が好ましい。しかしながら、回転体の周方向の一部領域を加熱する方式では、一般的に加熱領域（加熱源により加熱される領域）外で温度検知することが多いので、回転体を停止した状態で加熱した場合、温度検知部が定着可能温度まで昇温する間に、加熱領域はそれ以上に加熱されてしまい、回転体に用いられる材料の耐熱性・耐久性や用紙の焼損などの問題が生じる恐れがある。
特に、加熱源が回転体の外部にある場合には回転体の表面が高温になるまでの時間が短いため、問題が生じ易い。
また、フィルムやベルトを用いた場合、寄りの問題などから高速回転させることは困難であり、高速対応とするには加熱ローラを用いる必要がある。
【０００７】
本発明は、立ち上がりが速く高速回転可能である加熱ローラの周方向の一部領域をローラ外部より加熱する方式の加熱装置において、局所的な昇温を防止して加熱ローラの耐久性の向上、安全性の向上を図ることができる加熱装置の提供を、その主な目的とする。
また、そのような定着装置、該定着装置を備えた画像形成装置、定着方法の提供を、その主な目的とする。
【０００８】
【課題を解決するための手段】
上記目的を達成するために、請求項１記載の発明では、加熱ローラと、該加熱ローラの外部に設けられ該加熱ローラの周方向の一部領域を加熱する加熱源と、上記加熱ローラと共に被加熱体を挟持搬送するニップ部を形成する加圧部材と、上記加熱ローラの表面温度を検出する温度検出手段と、上記加熱ローラと加圧部材よりなる回転対を回転駆動する回転駆動手段と、上記温度検出手段の検出値に基づいて上記加熱源への電力供給を制御する給電制御手段と、上記加熱ローラの回転速度を制御する速度制御手段を有し、ウォームアップ中における上記加熱ローラの回転速度（以下、「ウォームアップ回転速度」という。）と、ウォームアップ後の上記被加熱体に対する加熱動作中における上記加熱ローラの回転速度（以下、「使用回転速度」という。）が異なるとともに、上記ウォームアップ回転速度が使用回転速度より遅く、かつ、上記ウォームアップ回転速度が複数の回転速度をもって徐々に速くなる加熱装置において、上記ウォームアップ回転速度は低速回転の時間が高速回転の時間よりも長い、という構成を採っている。
【０００９】
請求項２記載の発明では、加熱ローラと、該加熱ローラの外部に設けられ該加熱ローラの周方向の一部領域を加熱する加熱源と、上記加熱ローラと共に被加熱体を挟持搬送するニップ部を形成する加圧部材と、上記加熱ローラの表面温度を検出する温度検出手段と、上記加熱ローラと加圧部材よりなる回転対を回転駆動する回転駆動手段と、上記温度検出手段の検出値に基づいて上記加熱源への電力供給を制御する給電制御手段と、上記加熱ローラの回転速度を制御する速度制御手段を有し、ウォームアップ中における上記加熱ローラの回転速度（以下、「ウォームアップ回転速度」という。）と、ウォームアップ後の上記被加熱体に対する加熱動作中における上記加熱ローラの回転速度（以下、「使用回転速度」という。）が異なるとともに、上記ウォームアップ回転速度が使用回転速度より遅い加熱装置において、上記加熱源への通電開始からの時間と、ウォームアップ回転速度との関係を予め設定し、該設定されたテーブルに基づいて上記ウォームアップ回転速度を変化させる、という構成を採っている。
【００１０】
請求項３記載の発明では、加熱ローラと、該加熱ローラの外部に設けられ該加熱ローラの周方向の一部領域を加熱する加熱源と、上記加熱ローラと共に被加熱体を挟持搬送するニップ部を形成する加圧部材と、上記加熱ローラの表面温度を検出する温度検出手段と、上記加熱ローラと加圧部材よりなる回転対を回転駆動する回転駆動手段と、上記温度検出手段の検出値に基づいて上記加熱源への電力供給を制御する給電制御手段と、上記加熱ローラの回転速度を制御する速度制御手段を有し、ウォームアップ中における上記加熱ローラの回転速度（以下、「ウォームアップ回転速度」という。）と、ウォームアップ後の上記被加熱体に対する加熱動作中における上記加熱ローラの回転速度（以下、「使用回転速度」という。）が異なるとともに、上記ウォームアップ回転速度が使用回転速度より遅い加熱装置において、上記温度検出手段によって検出される温度と、ウォームアップ回転速度との関係を予め設定し、該設定されたテーブルに基づいて上記ウォームアップ回転速度を変化させる、という構成を採っている。
【００１１】
請求項４記載の発明では、請求項１乃至３のうちの一つに記載の加熱装置において、上記加熱ローラの回転を開始した後、上記加熱源への通電を開始する、という構成を採っている。
【００１２】
請求項５記載の発明では、請求項１乃至３のうちの一つに記載の加熱装置において、上記被加熱体への加熱動作終了後、上記加熱源への通電を停止した後、上記加熱ローラを少なくとも１回転させた後、回転を停止させる、という構成を採っている。
【００１３】
請求項６記載の発明では、請求項１乃至３のうちの一つに記載の加熱装置において、上記被加熱体への加熱動作終了後、上記加熱源への通電を停止した後、上記加熱ローラの表面温度がある設定温度以下になった後、回転を停止させる、という構成を採っている。
【００１４】
請求項７記載の発明では、請求項１乃至３のうちの一つに記載の加熱装置において、上記給電制御手段による上記加熱源への通電のオン／オフ間隔が、上記加熱ローラの外周上の任意の点が加熱領域を通過する時間より短い、という構成を採っている。
【００１５】
請求項８記載の発明では、請求項１乃至３のうちの一つに記載の加熱装置において、上記加熱ローラが誘導電流により発熱する発熱層を有し、上記加熱源が電磁誘導方式のものである、という構成を採っている。
【００１６】
請求項９記載の発明では、請求項８記載の加熱装置において、上記加熱ローラが、上記発熱層の内側に断熱層を有している、という構成を採っている。
【００１７】
請求項１０記載の発明では、請求項８記載の加熱装置において、上記加熱ローラが、内側から外側に向かって少なくとも芯材、断熱層、発熱層の３層構造を有している、という構成を採っている。
【００１８】
請求項１１記載の発明では、請求項８記載の加熱装置において、上記加熱ローラが、内側から外側に向かって少なくとも芯材、断熱層、発熱層、離型層の４層構造を有している、という構成を採っている。
【００１９】
請求項１２記載の発明では、請求項９乃至１１のうちの一つに記載の加熱装置において、上記断熱層が発泡体で形成されている、という構成を採っている。
【００２０】
請求項１３記載の発明では、請求項１乃至３のうちの一つに記載の加熱装置において、上記加熱ローラの熱容量が「ある値の電力を供給される加熱源に対し、加熱領域で吸収できる熱量が加熱領域外で放熱する熱量以上となる熱容量」以下、且つ、「被加熱体の加熱に必要な熱量をニップ部で被加熱体に与えることが可能な熱量を保持できる熱容量」以上である、という構成を採っている。
【００２１】
請求項１４記載の発明では、加熱装置により未定着画像を熱と圧力により記録材上に定着する定着装置において、上記加熱装置が請求項１乃至１３のうちの一つに記載のものである、という構成を採っている。
【００２２】
請求項１５記載の発明では、未定着画像を熱と圧力により記録材上に定着する定着装置を有する画像形成装置において、上記定着装置として、請求項１乃至１３のうちの一つに記載の加熱装置を用いる、という構成を採っている。
【００３３】
【発明の実施の形態】
以下、本発明の一実施形態を図に基づいて説明する。
まず、図３に基づいて、本実施形態に係る画像形成装置の一例としてのプリンタ２の全体構成の概要を説明する。プリンタ２は、給紙手段４と、レジストローラ対６と、像担持体としての感光体ドラム８と、転写手段１０と、外部加熱方式の定着装置１２等を有している。
給紙手段４は、記録材としての用紙Ｐが積載状態で収容される給紙トレイ１４と、給紙トレイ１４に収容された用紙Ｐを最上のものから順に１枚ずつ分離して送り出す給紙コロ１６等を有している。
給紙コロ１６によって送り出された用紙Ｐはレジストローラ対６で一旦停止され、姿勢ずれを矯正された後、感光体ドラム８の回転に同期するタイミングで、すなわち、感光体ドラム８上に形成されたトナー像の先端と用紙Ｐの搬送方向先端部の所定位置とが一致するタイミングでレジストローラ対６により転写部位Ｎへ送られる。
【００３４】
感光体ドラム８の周りには、矢印で示す回転方向順に、帯電手段としての帯電ローラ１８と、図示しない露光手段の一部を構成するミラー２０と、現像ローラ２２ａを備えた現像手段２２と、転写手段１０と、クリーニングブレード２４ａを備えたクリーニング手段２４等が配置されている。帯電ローラ１８と現像手段２２の間において、ミラー２０を介して感光体ドラム８上の露光部２６に露光光Ｌｂが照射され、走査されるようになっている。
【００３５】
プリンタ２における画像形成動作は従来と同様に行われる。すなわち、感光体ドラム８が回転を始めると、感光体ドラム８の表面が帯電ローラ１８により均一に帯電され、画像情報に基づいて露光光Ｌｂが露光部２６に照射、走査されて作成すべき画像に対応した静電潜像が形成される。この静電潜像は感光体ドラム８の回転により現像手段２２へ移動し、ここでトナーが供給されて可視像化され、トナー像が形成される。
感光体ドラム８上に形成されたトナー像は、所定のタイミングで転写部位Ｎに進入してきた用紙Ｐ上に転写手段１０による転写バイアス印加により転写される。
【００３６】
トナー像を担持した用紙Ｐは定着装置１２へ向けて搬送され、定着装置１２で定着された後、図示しない排紙トレイへ排出・スタックされる。
転写部位Ｎで転写されずに感光体ドラム８上に残った残留トナーは、感光体ドラム８の回転に伴ってクリーニング手段２４に至り、このクリーニング手段２４を通過する間にクリーニングブレード２４ａにより掻き落とされて清掃される。その後、感光体ドラム８上の残留電位が図示しない除電手段により除去され、次の作像工程に備えられる。
【００３７】
定着装置１２は、図１に示すように、加熱ローラとしての定着ローラ２８と、該定着ローラ２８の外部に設けられ該定着ローラ２８の周方向の一部領域を加熱する加熱源３２と、定着ローラ２８と共に被加熱体としての用紙Ｐを挟持搬送するニップ部ＮＡを形成する加圧部材としての加圧ローラ３０と、定着ローラ２８の表面温度を検出する温度検出手段としてのサーミスタ３４と、定着ローラ２８から用紙Ｐを分離する分離爪３７と、定着ローラ２８と加圧ローラ３０よりなる回転対を回転駆動する回転駆動手段としての定着ローラ駆動モータ３５（図２）と、サーミスタ３４の検出値に基づいて加熱源３２への電力供給（通電）を制御する給電制御手段としての制御手段３６（図２）を有している。
【００３８】
定着ローラ２８は、芯金２８ａと、該芯金２８ａの外周面に形成された離型層２８ｂを有している。芯金２８ａとしては、厚さが０．３〜５ｍｍの鉄やアルミニウム等の金属製筒体を用いることができ、材質や厚さは立ち上がり時間やニップ部ＮＡを形成するための加圧力を考慮して適宜選定される。離型層２８ｂとしては、厚さが１０〜５０μｍのＰＴＦＥやＰＦＡなどを用いることができる。このような離型層２８ｂの耐熱性は、通常３００℃程度である。
加熱源３２は、定着ローラ２８の外部近傍に図示しない保持部材により保持されたハロゲンランプ３２ａと、該ハロゲンランプ３２ａの光を定着ローラ２８の一部領域を加熱するように反射する反射鏡３２ｂを有している。
【００３９】
加圧ローラ３０は、芯金３０ａと、該芯金３０ａの外周面に形成された弾性層３０ｂを有している。芯金３０ａは定着ローラ２８の芯金２８ａと同様の材質で形成されている。弾性層３０ｂは、シリコーンゴムやフッ素ゴム等で形成することができる。
加圧ローラ３０は図示しない加圧機構により定着ローラ２８に対してその軸方向と直交する方向に加圧されており、これによって定着に必要なニップ部ＮＡが形成されている。定着ローラ駆動モータ３５により定着ローラ２８が回転駆動され、加圧ローラ３０は従動回転する。定着ローラ２８を加圧ローラ３０に対して圧接する構成としてもよく、また、加圧ローラ３０を駆動して定着ローラ２８を従動回転させる構成としてもよい。
【００４０】
未定着のトナー画像を担持した用紙Ｐは、図示しない搬送ガイドによりニップ部ＮＡへ搬送され、加熱源３２によりローラ表面が定着可能温度（例えば１８０℃）まで加熱された定着ローラ２８と加圧ローラ３０により挟持搬送され、加熱・加圧されることでトナー画像を定着される。分離爪３７は、定着ローラ２８の表面に当接又は接近して配置され、ニップ部ＮＡを通過した用紙Ｐは分離爪３７により定着ローラ２８から剥離されて排出される。
定着ローラ２８の表面温度はサーミスタ３４によりモニターされ、制御手段３６により加熱源３２への供給電力が制御され、ニップ部ＮＡで定着可能な温度となるように制御される。サーミスタ３４の位置は、図１に示した位置に限定されるものではない。
【００４１】
本実施形態における制御手段３６は、プリンタ２のメインコントローラが兼ねており、ＣＰＵ，ＲＯＭ，ＲＡＭ，Ｉ／Ｏインターフェース等を包含するマイクロコンピュータである。また、本実施形態では制御手段３６は定着ローラ２８の回転速度を制御する速度制御手段としても機能する。
図２に示すように、制御手段３６による加熱源３２への電力供給の制御は、電源３８を介してなされる。また、定着ローラ駆動モータ３５の制御は、モータドライバ４０を介してなされる。
【００４２】
図４に、ウォームアップ中と加熱動作中（定着中）における定着ローラ２８の温度上昇の一例を示す。
サーミスタ３４が検出する温度が、予め設定された定着可能温度に達するまで、加熱源３２に電力を供給してウォームアップを行うが、本実施形態のように、定着ローラ２８の周方向の一部のみを定着ローラ２８の外部から加熱する方式の場合、定着ローラ２８を停止した状態であると、定着ローラ２８の周方向に温度ムラが生じ、温度検出場所に比べて加熱領域ではかなりの高温となり、定着ムラとなるばかりなく、定着ローラ２８の離型層２８ｂを形成するＰＴＦＥなどの耐熱温度以上となる可能性がある。また、場合によっては用紙Ｐの焼損の恐れもあり、安全とは言いがたい。
【００４３】
この懸念を解消するために、本実施形態では、予め設定された温度に達するまでの定着ローラ２８のウォームアップ中に、該定着ローラ２８を回転させる制御を行う。
また、ハロゲンランプ３２ａなどでは、ガラス管が４００℃程度まで昇温しており、一般的な定着ローラ２８の設定温度である１８０℃よりも高温となっている。従って、電力供給を停止した後でも、ガラス管からの放熱により定着ローラ２８が加熱される恐れがあり、加熱源３２への電力供給を停止した後、定着ローラ２８の回転を即座に停止した場合、定着ローラ２８の一部領域のみが高温となる可能性がある。そこで、加熱源３２への電力供給停止後、少なくとも１回転させることで、昇温を防止する。
【００４４】
［実施例１］
図１で示した構成において、定着ローラ２８は、外径４０ｍｍ、厚さ０．８ｍｍの鉄製の中空円筒の芯金２８ａに、表面の離型性を高めるために厚さ３０μｍのＰＴＦＥ層を設けた構成とした。加圧ローラ３０は、外径が４０ｍｍのアルミニウム製の芯金３０ａの外周に厚さ３ｍｍのシリコンゴムの弾性層３０ｂを設けた構成とした。ニップ部ＮＡの幅は約８ｍｍであった。
ウォームアップ中及び定着時の定着ローラ２８の回転速度を３６０ｍｍ／ｓとし、定着可能温度（１８０℃）まで昇温した後、トナーによる未定着画像を担持した用紙Ｐをニップ部ＮＡへ通した。通紙終了後は、ハロゲンランプ３２ａへの電力供給を停止した後、さらに１０回転させて定着ローラ２８を停止させた。
【００４５】
ウォームアップ時間は２０秒以内であり、ウォームアップ中の最高温度は定着ローラ２８の構成材料の耐熱温度以下であった。また、定着ローラ２８の温度ムラによる多少の定着ムラは認められるが、実用上問題ないレベルであり、トナーの定着性も良好であった。さらに、定着ローラ２８の回転停止後の最高温度も定着ローラ２８の構成材料の耐熱温度以下であり、用紙Ｐの焼損の危険の無い安全なレベルであった。
定着可能温度（予め設定された温度）に達したことの判断は、サーミスタ３４の検出値に基づいて行ってもよく、加熱源３２への通電時間に基づいて行ってもよい。
【００４６】
［比較例１］
実施例１において、ウォームアップ中に定着ローラ２８を回転させなかった以外は実施例１と同様に行ったところ、サーミスタ３４による定着ローラ２８の表面温度が定着可能温度になったとき、加熱領域部分の定着ローラ２８の表面温度は、定着ローラ２８の構成材料の耐熱温度以上となった。
【００４７】
次に、他の実施形態を説明する。定着装置１２の構成は上記実施形態と同様であるので、図示及び説明は省略する（以下の他の実施形態において同じ）。
まず、本実施形態における指針を説明する。ウォームアップ中の定着ローラ２８の回転速度が速いほど、加圧ローラ３０を含む周囲への放熱量が増加し、ウォームアップ時間が長くなる。従って、ウォームアップ中と定着中を同じ回転速度に設定した場合、立ち上がりを速くするべく回転速度を遅く設定すると、高速に定着ができず、一方、高速に定着をするべく回転速度を速く設定すると、立ち上がりが遅くなる。
このように、ウォームアップ中と定着中の最適速度は異なるので、ウォームアップ中と定着中の設定速度を変えることが望ましい。
【００４８】
上述のように、ウォームアップの回転速度が速いほどウォームアップ時間が長くなるので、定着中よりウォームアップ中の回転速度を遅く設定することで、ウォームアップ時間を短くすることができる。
また、定着ローラ２８を回転した後で加熱源３２への電力供給を行うようにすれば、局所的昇温を確実に防止することができる。
また、定着ローラ２８の温度が一定温度以下であることを確認した上で定着ローラ２８の回転を停止させれば、定着後の局所的昇温を確実に防止することができる。
【００４９】
加熱源３２への電力供給のＯＮ／ＯＦＦの間隔が、定着ローラ２８の外周上の任意の点が加熱領域を通過する時間より長い場合、定着ローラ２８が１回転する間に全く加熱されない領域が生じ、加熱された領域との間の温度差が大きくなり、周方向に温度ムラが生じる。加熱源３２への電力供給のＯＮ／ＯＦＦの間隔が、定着ローラ２８の外周上の任意の点が加熱領域を通過する時間より短ければ、定着ローラ２８の外周上の各点は１回転する間に必ずＯＮ状態の加熱領域を通過するので、周方向の温度ムラを少なくできる。制御方法としては、交流電流の半波毎にＯＮ／ＯＦＦ制御を行うことなどで可能である。
【００５０】
［実施例２］
実施例１において、ウォームアップ中の定着ローラ２８の回転速度を５０ｍｍ／ｓとし、定着ローラ２８が回転を開始した後、ハロゲンランプ３２ａへの電力供給を開始した。定着可能温度まで昇温した後、定着時の回転速度３６０ｍｍ／ｓとした。定着時のハロゲンランプ３２ａへの電力供給のＯＮ／ＯＦＦの間隔は、定着ローラ２８の外周上の任意の点が加熱領域を通過する時間より短くなるように制御した。また、定着終了後は、ハロゲンランプ３２ａへの電力供給を停止した後、定着ローラ２８の温度が１００℃以下になってから定着ローラ２８の回転を停止させた。
一度定着可能温度になるまで昇温するのに７秒、それから定着時の速度にしたことにより温度が不安定となった。安定化するのに４秒かかったので、トータルのウォームアップ時間は１１秒であった。ウォームアップ中の最高温度は定着ローラ２８の構成材料の耐熱温度以下であった。また、定着ローラ２８の温度ムラによる定着ムラもなく、トナーの定着性も良好であった。さらに、定着ローラ２８の回転停止後の最高温度も定着ローラ２８の構成材料の耐熱温度以下であり、用紙Ｐの焼損の無い安全なレベルであった。
【００５１】
定着ローラ２８のウォームアップ中の回転速度を定着中の回転速度よりも遅くする実施形態における制御動作を図５のフローチャートに基づいて説明する。但し、ウォームアップ時の定着ローラ２８の回転速度をＶw 、定着時の回転速度をＶu 、予め設定した定着ローラ２８の速度切り替え温度をＴ１、定着可能温度をＴstとする。
例えばプリンタ２のメインスイッチがオンされると、制御手段３６は定着ローラ駆動モータ３５を制御して定着ローラ２８を定着時よりも遅い回転速度Ｖw で回転させる（Ｓ１）。定着ローラ２８を回転させた後、加熱源３２への通電を開始し（Ｓ２）、その後、サーミスタ３４によって検出された定着ローラ２８の温度Ｔが予め設定した定着ローラ２８の速度切り替え温度Ｔ１を超えたかどうかをチェックする（Ｓ３）。超えたら定着ローラ２８を定着時の回転速度Ｖu で回転させる（Ｓ４）。その後、定着ローラ２８の温度Ｔが定着可能温度Ｔstを超えたかどうかをチェックし（Ｓ５）、超えた場合には立ち上がり完了となる。
【００５２】
上記実施形態では、予め設定した定着ローラ２８の速度切り替え温度Ｔ１に基づく制御であったが、予め設定された速度切り替え時間通電する方式とすることもできる。
この例を図６のフローチャートに基づいて説明する。但し、ウォームアップ時の定着ローラ２８の回転速度をＶw 、定着時の回転速度をＶu 、予め設定した速度切り替え通電時間をＡsn、定着可能温度をＴstとする。本実施形態においては、図７に示すように、制御手段３６はタイマ４２を管理し、該タイマ４２によって計時された時間に基づいて制御する。
例えばプリンタ２のメインスイッチがオンされると、制御手段３６は定着ローラ駆動モータ３５を制御して定着ローラ２８を定着時よりも遅い回転速度Ｖw で回転させる（Ｓ１）。定着ローラ２８を回転させた後、加熱源３２への通電を開始するとともに（Ｓ２）、タイマ４２を動作させる。その後、通電開始からの経過時間Ａが予め設定した速度切り替え通電時間Ａsnを超えたかどうかをチェックし（Ｓ３）、超えたら定着ローラ２８を定着時の回転速度をＶu で回転させる（Ｓ４）。その後、定着ローラ２８の温度Ｔが定着可能温度Ｔstを超えたかどうかをチェックし（Ｓ５）、超えたら立ち上がり完了となる。
【００５３】
本発明者らの実験により、ウォームアップ中の回転速度と定着中の回転速度の差が大きい場合、回転速度を切り替えたときに加熱領域での定着ローラ２８の吸熱量が大きく変化し、温度が安定し難いことが確認されている。従って、ウォームアップ中の回転速度を徐々に速くして、定着中の回転速度に近づけることが望ましい。
この考えに基づく実施形態を表１に基づいて説明する。
【００５４】
【表１】
0003850642.tif 000002
【００５５】
表１に示すように、加熱源３２への通電開始からの時間と、ウォームアップ回転速度との関係を予め設定し、該設定されたテーブルに基づいてウォームアップ回転速度を変化させるものである。具体的には、定着時の定着ローラ２８の回転速度を３６０ｍｍ／ｓとし、３段階に変更する。
通電開始からの時間が５秒未満の場合には、定着ローラ２８の回転速度を５０ｍｍ／ｓとし、５秒以上８秒未満の場合には２００ｍｍ／ｓとする。８秒以上の場合には、定着時の回転速度である３６０ｍｍ／ｓとする。
【００５６】
定着ローラ２８の温度に基づいて回転速度を徐々に速くするようにしてもよい。この実施形態を表２に基づいて説明する。
【００５７】
【表２】
0003850642.tif 000003
【００５８】
表２に示すように、サーミスタ３４によって検出される温度と、ウォームアップ回転速度との関係を予め設定し、該設定されたテーブルに基づいてウォームアップ回転速度を変化させるものである。具体的には、定着時の定着ローラ２８の回転速度を３６０ｍｍ／ｓ、定着可能温度を１８０℃として、３段階に変更する。
サーミスタ３４によって検知（検出と同義）された定着ローラ２８の温度が１４０℃未満の場合には、定着ローラ２８の回転速度を５０ｍｍ／ｓとし、１４０℃以上１６０℃未満の場合には２００ｍｍ／ｓとする。１６０℃以上になったら、定着時の回転速度である３６０ｍｍ／ｓとする。
【００５９】
サーミスタ３４によって検出される温度と、ウォームアップ回転速度との関係を予め設定したプログラムに基づき、検出された温度を判定してウォームアップ回転速度を変化させるようににしてもよい。
この考えに基づく実施形態を、図８のフローチャートに基づいて説明する。本実施形態では、図５及び図６に示したようなブロック図を予めプログラムに組み、コンピュータ（制御手段３６）により制御する。図８において、Ｖ１，Ｖ２，Ｖ３はウォームアップ時の回転速度、Ｖu は定着時の回転速度、Ｔ１，Ｔ２，Ｔ３は予め設定した速度切り替え温度、Ｔstは定着可能温度である。また、Ｖ１＜Ｖ２＜Ｖ３＜Ｖu 、Ｔst＞Ｔ１＞Ｔ２＞Ｔ３の関係にある。
【００６０】
例えばプリンタ２のメインスイッチがオンされると、制御手段３６は定着ローラ駆動モータ３５を制御して定着ローラ２８を定着時よりも遅い回転速度Ｖ１で回転させる（Ｓ１）。定着ローラ２８を回転させた後、加熱源３２への通電を開始し（Ｓ２）、その後、サーミスタ３４により検出された定着ローラ２８の温度Ｔが速度切り替え温度（Ｔst−Ｔ１）を超えたかどうかをチェックする（Ｓ３）。超えたら定着ローラ２８を回転速度Ｖ２で回転させる（Ｓ４）。
その後、定着ローラ２８の温度Ｔが速度切り替え温度（Ｔst−Ｔ２）を超えたかどうかをチェックし（Ｓ５）、超えたら定着ローラ２８を回転速度Ｖ３で回転させる（Ｓ６）。その後、定着ローラ２８の温度Ｔが速度切り替え温度（Ｔst−Ｔ３）を超えたかどうかをチェックし（Ｓ７）、超えたら定着ローラ２８を定着時の回転速度Ｖu で回転させる（Ｓ８）。その後、定着ローラ２８の温度Ｔが定着可能温度をＴstを超えたかどうかをチェックし（Ｓ９）、超えたら立ち上がり完了となる。
【００６１】
加熱源３２への通電開始からの時間と、ウォームアップ回転速度との関係を予め設定したプログラムに基づき、計時された時間を判定してウォームアップ回転速度を変化させるようにしてもよい。
【００６２】
図９は、加熱源３２の変形例を示している（加圧ローラ３０等は省略）。上記各実施形態では、加熱源３２を、ハロゲンランプ３２ａの光を反射鏡３２ｂで反射させる構成としたが、本実施形態における加熱源４４は、小径のローラ４５と、該小径のローラ４５に内蔵されたハロゲンランプ４６を有している。小径のローラ４５を定着ローラ２８の外周面に接触させて回転させ、定着ローラ２８の周方向の一部領域を外部から加熱する。ハロゲンランプ４６を赤外線ランプとしてもよい。
また、抵抗発熱体などの面状ヒータを定着ローラ２８の外側に接触させる構成としてもよい。
このような加熱源の変形構成においても、ウォームアップ中に定着ローラ２８を回転させる等の各制御動作は上記と同様である。
【００６３】
図１０及び図１１は、加熱源が電磁誘導方式の場合の実施形態を示している（加圧ローラ３０等は省略）。
本実施形態における加熱源４８は、断面コ字状のコイル保持体５０と、該コイル保持体５０に巻回された導線からなる誘導コイル５２を有している。コイル保持体５０は図示しない装置側板に支持されている。
また、本実施形態における定着ローラ５４は、内側から外側に向かって順に、芯金５４ａ、断熱層５４ｂ、発熱層５４ｃ、離型層５４ｄの４層構造を有している。
誘導コイル５２は、定着ローラ５４の軸方向に沿って延び、両端部で折り返される巻回方式となっている。
【００６４】
芯金５４ａの材質等は上記実施例と同様である。発熱層５４ｃの材料としては、厚さ１０〜１００μｍのニッケル、コバルト、鉄、フェライト、パーマロイ、ＳＵＳ４３０などの磁性金属を用いることができる。発熱層５４ｃ自体が離型性を有する場合には３層構造としてもよい。
断熱層５４ｂの材料としては、シリコンゴム、フッ素ゴムなどの弾性体、発泡シリコンゴム、発泡フッ素ゴムなどの発泡状の弾性体、パーライト、バーミキュライト、泡ガラスなどの発泡・多孔質材料、ロックウール、グラスウール、炭素質繊維などの繊維質材料などを用いることができる。厚さは１〜５ｍｍがよく、１ｍｍ以下では断熱性が不十分であり、５ｍｍあれば十分である。定着ローラ５４は一般に、外径２５〜５０ｍｍであるため、断熱層５４ｂの厚さが５ｍｍ以上の場合には支持体となる芯金５４ａの径が細くなって強度が低下し、撓みが生じる可能性がある。
定着ローラ５４に撓みが生じた場合、ローラの軸方向でニップ幅や加圧力にムラが生じ、画像の定着性が均一にならないという不具合が生じる。また、厚すぎると、断熱層５４ｂ自体の熱容量が大きくなるので、立ち上がり時間を増加させる方向に働いてしまう。
【００６５】
誘導コイル５２には、１０ｋ〜１Ｍ［Ｈz ］の交流電流が印加され、該交流電流に誘導された磁界が定着ローラ５４の発熱層５４ｃに渦電流を流し、ジュール熱を発生させる。この発熱を増加させるためには、機械的精度の許す限り該誘導コイル５２を定着ローラ５４の外周面と接触させずに、近づけて配置するのがよい。
本実施形態では誘導コイル５２は定着ローラ５４の外部に配置されるので、定着ローラ５４の断熱層５４ｂを厚くしても発熱層５４ｃと誘導コイル５２の距離には影響を及ぼさない。
【００６６】
電磁誘導加熱方式においては、ハロゲンランプ３２ａなどと比較して、加熱源としての昇温時間が短いので、局所的に高温になり易い。従って、特に、停止状態での加熱は問題が生じ易い。
発熱層５４ｃの内側に断熱層５４ｂを設けることで、定着ローラ５４内側への放熱を抑えることができ、よりウォームアップ時間を短くすることができる。
定着ローラ５４の熱容量が「ある値の電力を供給される加熱源に対し、加熱領域で吸収できる熱量が加熱領域外で放熱する熱量以上となる熱容量」より大きいと、ある固定の供給電力に対し、加熱領域での温度上昇不足となり、連続通紙をした場合、徐々に定着ローラ５４が温度低下し、定着可能温度を下回る恐れがある。
【００６７】
また、定着ローラ５４が被加熱体（紙とトナー）へ与えることのできる熱量は、定着ローラ５４の熱容量と温度差（ニップ前の温度−ニップ後の温度）で決まるが、定着ローラ５４は周囲温度より低くなることはなく、耐熱性や安全性の問題から表面温度を２５０℃以上とすることはできず、温度差には上限がある。
一方、被加熱体の加熱に必要な熱量も被加熱体の材質から決まる。従って、定着ローラ５４の熱容量には下限が存在する。「被加熱体の加熱に必要な熱量をニップ領域内で被加熱体に与えることが可能な熱量を保持できる熱容量」より小さいと、定着ローラ５４の保持している熱量を全て被加熱体に与えても、十分な定着ができなくなる。
従って、定着ローラ５４の熱容量は「ある値の電力を供給される加熱源に対し、加熱領域で吸収できる熱量が加熱領域外で放熱する熱量以上となる熱容量」以下、且つ、「被加熱体の加熱に必要な熱量をニップ部で被加熱体に与えることが可能な熱量を保持できる熱容量」以上であるのが望ましい。
【００６８】
［実施例３］
図１０で示した定着装置において、定着ローラ５４は外径５０ｍｍ、厚さ２ｍｍのアルミニウム製の中空円筒の芯金５４ａの外側に、厚さ４ｍｍの発泡シリコンゴム製の断熱層５４ｂ、厚さ８０μｍののニッケル製の発熱層５４ｃ、さらに表面の離型性を高めるために厚さ３０μｍのＰＴＦＥからなる離型層５４ｄを順次設ける構成とした。
加圧ローラ３０は、外径が５０ｍｍであり、アルミニウム製の芯金３０ａの外周に厚さ３ｍｍのシリコンゴムの弾性層３０ｂを設けた。ニップ部ＮＡの幅は８ｍｍであった。
【００６９】
ウォームアップ中の定着ローラ５４の回転速度を５０，２００，３６０ｍｍ／ｓと徐々に速くし、定着可能温度まで昇温した後、通紙時の回転速度を３６０ｍｍ／ｓとして、トナーによる未定着画像を付着させた用紙Ｐをニップ部ＮＡへ通紙した。通紙終了後は、加熱源４８への電力供給を停止した後、定着ローラ５４の温度が１００℃以下になるのを待って定着ローラ５４を停止させた。
ウォームアップ時間は１０秒以内と短くでき、ウォームアップ中の最高温度は定着ローラ５４の構成材料の耐熱温度以下であった。また、定着ローラ５４の温度ムラもなく、良好な定着状態であった。さらに、定着ローラ５４の回転停止後の最高温度も１００℃以下であるため、安全である。
本実施形態においても、テーブル制御やプログラム制御等の既述の各種の制御を同様に行うことができる。
また、誘導コイル５２の巻き方は図１０に示したものに限らず、誘導コイル５２が定着ローラ５４の外部に配置されればよい。
【００７０】
次に、ウォームアップ中に定着ローラ２８，５４の回転速度を多段階に立ち上げる場合の最適な立ち上げ方の方向性を、図１２のグラフに基づいて説明する。図１２は、最初の８秒間の回転速度を２０ｍｍ／ｓ、次の２秒間の回転速度を５０ｍｍ／ｓ、その後の回転速度を３６０ｍｍ／ｓとし、２００℃で温度制御がかかるようにした場合のシミュレーショングラフである（線Ａ）。
線Ｂは、最初から最後まで３６０ｍｍ／ｓの回転速度で立ち上げた場合である。
【００７１】
図１２から明らかなように、線Ａの方が昇温が速くなっている。従って、できるだけ低速回転の時間を長くして、設定温度付近で定着時の回転速度にするのがよい。
【００７２】
上記各実施形態では加熱装置の一例としての定着装置及びこれを備えた画像形成装置を示したが、例えば、画像を担持した転写紙を加熱して表面性（つや等）を改質する装置、仮定着を行う装置、シート状物を給紙して乾燥処理・ラミネート処理する装置等の加熱装置としても同様に実施することができる。
【００７３】
【発明の効果】
本発明によれば、予め設定された温度に達するまでの加熱ローラのウォームアップ中に、該加熱ローラを回転させることとしたので、立ち上がりが速く高速回転可能である加熱ローラの周方向の一部領域をローラ外部より加熱する方式の加熱装置において、局所的な昇温を防止して加熱ローラの耐久性の向上、安全性の向上を図ることができる。
【００７４】
本発明によれば、ウォームアップ回転速度と使用回転速度が異なる構成としたので、ウォームアップ中と、被加熱体への加熱動作中、それぞれに適切な回転速度とすることができる。
【００７５】
本発明によれば、ウォームアップ回転速度を使用回転速度より遅くしたので、ウォームアップ時間を短くすることができる。
【００７６】
本発明によれば、ウォームアップ回転速度がウォームアップ中に徐々に速くなる構成としたので、温度の安定性を得ながらウォームアップ時間を短くすることができる。
【００７７】
本発明によれば、加熱源への通電開始からの時間と、ウォームアップ回転速度との関係を予め設定し、該設定されたテーブルに基づいてウォームアップ回転速度を変化させるようにしたので、加熱ローラの温度の安定性を得ながらウォームアップ時間を短くすることができる。
【００７８】
本発明によれば、温度検出手段によって検出される温度と、ウォームアップ回転速度との関係を予め設定し、該設定されたテーブルに基づいてウォームアップ回転速度を変化させるようにしたので、加熱ローラの温度の安定性を得ながらウォームアップ時間を短くすることができる。
【００７９】
本発明によれば、加熱ローラの温度の安定性を得ながらウォームアップ時間を短くすることができる。
【００８０】
本発明によれば、加熱ローラの温度の安定性を得ながらウォームアップ時間を短くすることができる。
【００８１】
本発明によれば、加熱ローラの回転を開始した後、加熱源への通電を開始するようにしたので、局所的昇温を確実に防止することができる。
【００８２】
本発明によれば、被加熱体への加熱動作終了後、加熱源への通電を停止した後、加熱ローラを少なくとも１回転させた後、回転を停止させる構成としたので、通電停止後の加熱ローラの局所的昇温による不具合を防止することができ、耐久性、安全性を高めることができる。
【００８３】
本発明によれば、被加熱体への加熱動作終了後、加熱源への通電を停止した後、加熱ローラの表面温度がある設定温度に以下になった後、回転を停止させる構成としたので、通電停止後の加熱ローラの局所的昇温による不具合を確実に防止することができ、耐久性、安全性を高めることができる。
【００８４】
本発明によれば、給電制御手段による加熱源への通電のオン／オフ間隔が、加熱ローラの外周上の任意の点が加熱領域を通過する時間より短い構成としたので、加熱ローラの周方向の温度ムラを抑制でき、安定した加熱機能を得ることができる。
【００８５】
本発明によれば、加熱ローラが誘導電流により発熱する発熱層を有し、加熱源が電磁誘導方式のものである構成としたので、昇温時間を短くでき、よってウォームアップ時間を短くできる。
【００８６】
本発明によれば、加熱ローラが発熱層の内側に断熱層を有している構成としたので、加熱ローラ内方への熱の移動を抑制でき、ウォームアップ時間を短くできる。
【００８７】
本発明によれば、加熱ローラが、内側から外側に向かって少なくとも芯材、断熱層、発熱層の３層構造を有している構成としたので、加熱ローラ内方への熱の移動を抑制でき、ウォームアップ時間を短くできる。
【００８８】
本発明によれば、加熱ローラが、内側から外側に向かって少なくとも芯材、断熱層、発熱層、離型層の４層構造を有している構成としたので、加熱ローラ内方への熱の移動を抑制でき、ウォームアップ時間を短くできる。
【００８９】
本発明によれば、断熱層が発泡体で形成されている構成としたので、加熱ローラ内方への熱の移動を一掃抑制でき、ウォームアップ時間をより短くできる。
【００９０】
本発明によれば、加熱ローラの熱容量が「ある値の電力を供給される加熱源に対し、加熱領域で吸収できる熱量が加熱領域外で放熱する熱量以上となる熱容量」以下、且つ、「被加熱体の加熱に必要な熱量をニップ部で被加熱体に与えることが可能な熱量を保持できる熱容量」以上である構成としたので、安定した加熱を行うことができる。
【図面の簡単な説明】
【図１】本発明の一実施形態に係る定着装置の概要断面図である。
【図２】制御ブロック図である。
【図３】上記定着装置を有する画像形成装置としてのプリンタの概要正面図である。
【図４】ウォームアップ中と定着中における定着ローラの温度上昇を示すグラフである。
【図５】予め設定された温度になるまで通電する実施形態のフローチャートである。
【図６】予め設定された時間通電する実施形態のフローチャートである。
【図７】他の実施形態における制御ブロック図である。
【図８】他の実施形態におけるフローチャートである。
【図９】加熱源の変形例を示す要部断面図である。
【図１０】加熱源が電磁誘導方式の場合の実施形態における要部断面図である。
【図１１】図１０で示した例における定着ローラの縦断面図である。
【図１２】ウォームアップ回転速度を多段階に分けて立ち上げる場合の最適方向性を得るための実験グラフでる。
【符号の説明】
２８，５４  加熱ローラとしての定着ローラ
３０  加圧部材としての加圧ローラ
３２，４４，４８  加熱源
３４  温度検出手段としてのサーミスタ
３５  回転駆動手段としての定着ローラ駆動モータ
３６  給電制御手段、速度制御手段としての制御手段
ＮＡ  ニップ部
Ｐ  被加熱体としての用紙
【図１】
0003850642.tif 000004
【図２】
0003850642.tif 000005
【図３】
0003850642.tif 000006
【図４】
0003850642.tif 000007
【図５】
0003850642.tif 000008
【図６】
0003850642.tif 000009
【図７】
0003850642.tif 000010
【図８】
0003850642.tif 000011
【図９】
0003850642.tif 000012
【図１０】
0003850642.tif 000013
【図１１】
0003850642.tif 000014
【図１２】
0003850642.tif 000015